(57)【要約】【課題】  軒樋の組付性が良好でコスト削減を図ることが可能な外壁構造およびその施工方法を提供する。【解決手段】  本発明の外壁構造１は、外壁パネル４を有する外壁構造１であって、前記外壁パネル４の上端部が上端部カバー部材５により覆われ、該上端部カバー部材５に軒樋２が配設されてなるものである。この外壁構造１における軒樋２が設けられた上端部カバー部材５の外壁パネル４への配設は、足場を設けずに屋根３上からなすものとされる。【選択図】  図１
2005281990.tif 000002
【特許請求の範囲】
【請求項１】
外壁パネルを有する外壁構造であって、前記外壁パネルの上端部が上端部カバー部材により覆われ、該上端部カバー部材に軒樋が配設されてなることを特徴とする外壁構造。
【請求項２】
外壁パネル天端が、天井下地上面とほぼ面一となるようにされてなることを特徴とする請求項１記載の外壁構造。
【請求項３】
上端部カバー部材の端部が、外壁パネルと係合させられてなることを特徴とする請求項１記載の外壁構造。
【請求項４】
上端部カバー部材の端部に係合部を形成し、外壁パネルの側面に係合部材を設け、前記係合部を前記係合部材に係合させることを特徴とする請求項３記載の外壁構造。
【請求項５】
上端部カバー部材の端部に係合部を形成し、外壁パネルの側面に係合凹部を設け、前記係合部を前記係合凹部に係合させることを特徴とする請求項３記載の外壁構造。
【請求項６】
上端部カバー部材の端部を覆う水切部材が配設されてなることを特徴とする請求項１記載の外壁構造。
【請求項７】
外壁パネルを有する外壁構造の施工方法であって、軒樋が配設された上端部カバー部材を前記外壁パネルの上端部を覆うように配設する手順を含んでいることを特徴とする外壁構造の施工方法。
【請求項８】
上端部カバー部材の配設を屋根上からなすことを特徴とする請求項７記載の外壁構造の施工方法。
【請求項９】
上端部カバー部材の配設を足場を設けることなくなすことを特徴とする請求項７記載の外壁構造の施工方法。
【請求項１０】
外壁パネルの上端部を覆う上端部カバー部材であって、該上端部カバー部材に軒樋が配設されてなることを特徴とする上端部カバー部材。
【請求項１１】
上端部カバー部材の端部を覆う水切部材が配設されてなることを特徴とする請求項１０記載の上端部カバー部材。
【請求項１２】
請求項１ないし請求項６のいずれか一項に記載の外壁構造を備えてなることを特徴とする住宅。
【発明の詳細な説明】
【技術分野】
【０００１】
本発明は、外壁構造およびその施工方法に関する。さらに詳しくは、軒樋の組付性が改善されてなる戸建住宅や集合住宅における外壁構造およびその施工方法に関する。
【背景技術】
【０００２】
従来より、戸建住宅や集合住宅(以下、単に住宅という)においては、屋根に溜まった雨水を排水するために外壁に雨樋が設けられている。
【０００３】
この雨樋の外壁への取付は、一般的には外壁に沿って組まれた足場からなされている。
【０００４】
図６に、雨樋が設けられた従来の外壁構造の一例を示す。この外壁構造１００は、全体は図示しない陸屋根１０１の軒先に軒樋１０２が設けられた外壁構造とされ、作業員１０３が、外壁１０４に沿って組まれた足場１０５から釘、ビス等を用いてブラケット１０６を屋根１０１の端面に取り付け、ブラケット１０６に軒樋１０２および縦樋１０７を取り付け、外壁１０４の天端１０４ａと屋根１０１との隙間を覆う化粧破風１０８等の取り付けを行うものとされる。
【０００５】
しかしながら、このような従来の外壁構造には、以下に示すような問題点がある。
【０００６】
問題１：足場を使って高所作業を行う必要があり、危険性が高い。
問題２：外壁工事のために足場が必要ない場合にも、軒樋１０２や化粧破風１０８を取り付けるために足場を組む必要があり、手間が掛かり、コスト上昇を招く。敷衍すれば、現状、コーキングを施すことなく取り付け可能な外壁パネルが実用化されており、これを用いる場合は、外壁工事のために特に足場は必要とされない。ところが、前記従来の外壁構造では、軒樋を取り付けるためだけに足場を組む必要が生じ、コーキング無用の外壁パネルを用いる利点が損なわれてしまう。
【発明の開示】
【発明が解決しようとする課題】
【０００７】
本発明はかかる従来技術の課題に鑑みなされたものであって、軒樋の組付性が良好でコスト削減を図ることが可能な外壁構造およびその施工方法を提供することを目的としている。
【課題を解決するための手段】
【０００８】
本発明の外壁構造は、外壁パネルを有する外壁構造であって、前記外壁パネルの上端部が上端部カバー部材により覆われ、該上端部カバー部材に軒樋が配設されてなることを特徴とする。
【０００９】
本発明の外壁構造においては、外壁パネル天端が、天井下地上面とほぼ面一となるようにされてなるのが好ましい。
【００１０】
また、本発明の外壁構造においては、上端部カバー部材の端部が、外壁パネルと係合させられてなるのが好ましい。その場合、上端部カバー部材の端部に係合部を形成し、外壁パネルの側面に係合部材を設け、前記係合部を前記係合部材に係合させてもよく、あるいは上端部カバー部材の端部に係合部を形成し、外壁パネルの側面に係合凹部を設け、前記係合部を前記係合凹部に係合させてもよい。
【００１１】
さらに、本発明の外壁構造においては、上端部カバー部材の端部を覆う水切部材が配設されてなるのが好ましい。
【００１２】
本発明の外壁構造の施工方法は、外壁パネルを有する外壁構造の施工方法であって、軒樋が配設された上端部カバー部材を前記外壁パネルの上端部を覆うように配設する手順を含んでいることを特徴とする。
【００１３】
本発明の外壁構造の施工方法においては、上端部カバー部材の配設を屋根上からなすのが好ましい。
【００１４】
また、本発明の外壁構造の施工方法においては、上端部カバー部材の配設を足場を設けることなくなすのが好ましい。
【００１５】
本発明の上端部カバー部材は、外壁パネルの上端部を覆う上端部カバー部材であって、該上端部カバー部材に軒樋が配設されてなることを特徴とする。
【００１６】
本発明の上端部カバー部材においては、上端部カバー部材の端部を覆う水切部材が配設されてなるのが好ましい。
【００１７】
しかして、本発明の外壁構造は住宅に備えられる。
【発明の効果】
【００１８】
本発明によれば、上端部カバー部材により外壁パネルの上端部を覆うだけで軒樋の施工が完了するので、施工の迅速化を図りながらその安全性も確保されるという優れた効果が得られる。これにより、工期の著しい短縮およびコストの著しい低減が図られるといった効果も得られる。
【発明を実施するための最良の形態】
【００１９】
以下、添付図面を参照しながら本発明を実施形態に基づいて説明するが、本発明はかかる実施形態のみに限定されるものではない。
【００２０】
図１に、本発明の一実施形態に係る外壁構造の概略構成を一部断面図により示す。
【００２１】
外壁構造１は、軒樋２の取付作業を、足場を用いることなく、建物側、例えば陸屋根からなる屋根３の上から施工可能に構成された外壁構造とされる。
【００２２】
外壁構造１は、外壁パネル４に、その天端４ａに被せるよう装着される断面コの字形の取付金具(上端部カバー部材)５と、取付金具５に固定され、外壁パネル４の天端４ａに沿って軒樋２を支持するための複数個のブラケット６と、外壁パネル４の天端４ａと屋根３との継目に風雨が浸入するのを防ぐように水切をする軒先水切７と、軒樋２と取付金具５との間に介装され、軒先水切７の下側から前記継目に風雨が浸入するのを防止する外壁水切(水切部材)８とを主要構成要素として備えてなるものとされる。
【００２３】
また、外壁構造１は、取付金具５の装着される外壁パネル４の天端４ａの位置が、建物側からの取付作業が容易なように、屋根下地１０の上面１０ａとほぼ同一の高さとなるよう設定されてなるものとされる。より正確には、外壁パネル４の天端４ａの位置が、屋根下地１０の上面１０ａより若干低くなるようにされている。
【００２４】
ここで、屋根３は、主にコンクリートから形成される屋根下地１０の上に断熱材１１を配し、図には明瞭に示されていないがさらにその上に防水シートを配してなるものとされる。また、断熱材１１は、外壁パネル４の天端４ａ（取付金具５の上面）と面対し、かつその周囲端面が外壁パネル４の外側面とほぼ面一となるように、屋根下地１０よりも外側まで単独で延出されてなるものとされる。
【００２５】
外壁パネル４は、ＧＲＣ（Glass fiber Reinforced Cement：ガラス繊維補強セメント）からなる外壁パネル本体２１の表面にタイル２２を敷き詰めてなるものとされる。
【００２６】
取付金具５は、ステンレス鋼板からなり、外壁パネル４の天端４ａにビス２３により固定される。
【００２７】
ブラケット６は、外壁パネル４の長手方向に所定の間隔を空けて、アーム部６ａを外壁パネル４の外側に突出させるように、基部６ｂが取付金具５に固定されてなるものとされる。
【００２８】
軒先水切材７は、屋根３の周縁部上面に当接させて取り付けられる水平面部７ａと、水平面部７ａと直角をなすように形成され、屋根３と外壁パネル４の天端４ａ、ここでは取付金具５の上面との隙間を隠す鉛直面部７ｂと、鉛直面部７ｂの下端から外側に下向きの緩やかな勾配をなすよう形成された斜面部７ｃとを有してなるステンレス鋼板から構成されている。
【００２９】
外壁水切８は、取付金具５とブラケット６との間に配設される第１鉛直面部８ａと、第１鉛直面部８ａの下端から下向きの急な勾配をなすよう形成された斜面部８ｂと、斜面部８ｂの下端から下方に延びるように形成された第２鉛直面部８ｃとを有してなるステンレス鋼板から構成されている。
【００３０】
屋根下地１０は、梁３１の上に、内壁材３２を吊設するファスナー３３と重ならないように設置される例えばプレキャストコンクリート板からなる陸屋根基材３４と、陸屋根基材３２の周囲端面と面一となるように第１コンクリート止め板３５により周囲端面が規定されて打設される第１段コンクリート打設部３６と、第１段コンクリート打設部３６の外周に、その周囲端面が第２コンクリート止め板３７により規定されて打設される第２段コンクリート打設部３８とから構成される。
【００３１】
ここで、第２コンクリート止め板３７は、梁３１の上面とファスナー３４との間に介装される第１水平面部３７ａと、第１水平面部３７ａと直角をなし、外壁４の内側面と若干の隙間を空けて対向するように配設される第１鉛直面部３７ｂと、この第１鉛直面部３７ｂと直角をなし、かつ外壁４の天端４ａと面対する断熱材１１の下面を覆うように配設される第２水平部３７ｃと、この第２水平面部３７ｃと直角をなし、かつ断熱材１１の周囲端面を覆うように配設される第２鉛直面部３７ｄとを有してなるステンレス鋼板から構成されている。また、第２コンクリート止め板３７は、施工時の寸法調整が可能なように、第１鉛直面部３７ｂにて２分割されている。
【００３２】
以下、このような構成を有する外壁構造１の施工方法を説明する。
【００３３】
手順１：梁３１の上に陸屋根基材３４を設置する。
【００３４】
手順２：陸屋根基材３２の上に第１段コンクリート打設部３６を打設する。
【００３５】
手順３：図２に示すように、作業員４１が、第１段コンクリート打設部３６に設けられる仮設手摺４２と安全帯４３により繋がれ安全が確保された状態で、外壁水切８、ブラケット６、軒樋２および縦樋９が予め組み付けられた取付金具５を外壁パネル４の天端４ａに装着する。
【００３６】
手順４：第２段コンクリート打設部３８を、前記ファスナー３４を覆い隠すように打設する。これにより屋根下地１０が形成される。
【００３７】
手順５：屋根下地１０の上に、断熱材１１を設置する。
【００３８】
手順６：軒先水切７をビス２４により第２コンクリート止め板３７の第２水平部３７ｃに固定する。
【００３９】
このように、本発明の外壁構造１によれば、外壁パネル４の天端４ａの位置が、屋根下地１０の上面とほぼ同じ高さとなるように設定されるので、外壁パネル４の天端４ａを覆うように装着される取付金具５の取付作業を建物側から容易に実施することができる。したがって、特に外壁工事のために足場を組む必要がない場合に、軒樋２の取付作業を実施するためにのみ足場を設ける必要がなくなる。これにより、工数が大幅に削減され、軒樋取付作業に要する時間とコストを大幅に低減することが可能となる。
【００４０】
なお、前記実施形態では、主に軒先２の組付性の向上のために、外壁水切８の上部(第２鉛直面部)８ａを平板状としたが、これに限らず、図３に示すように、水切性を向上させるために上端に折返し８ｄを設けるようにすることも可能である。ただし、この場合は、前記組付性は若干低下する。
【００４１】
また、前記実施形態では、取付金具５を外壁４にビス止めするものとしたが、図４（ａ）に示すように、取付金具５のコの字の開口端を内側に折り曲げて係合部５ａを設けるとともに、外壁パネル４の外側面および内側面に前記係合部５ａと係合する受金物(係合部材)５１、５２を設け、これにより嵌め込み式に取付金具５を外壁パネル４の天端４ａに装着するようにしてもよい。
【００４２】
また、図４（ｂ）に示すように、取付金具５のコの字の開口端を内側に折り曲げて係合部５ａを設けるとともに、外壁パネル４の上端部外側面および内側面の適宜位置に窪み４ｂ、４ｃを設け、前記係合部５ａを窪み(係合凹部)４ｂ、４ｃに係合させて、取付金具５を外壁パネル４の天端４ａに装着するようにしてもよい。
【００４３】
あるいは、図５に示すように、取付金具５にワイヤ繋設用の金具６１，６２を取り付け、これにワイヤ６３を繋ぎ、クレーン６４により支持しながら取り付けるようにしてもよい。これにより、作業員が人力で取付金具５を支持する必要がなく、さらに安全性が向上する。
【産業上の利用可能性】
【００４４】
本発明は、軒樋を有する外壁に適用することができる。
【図面の簡単な説明】
【００４５】
【図１】本発明の一実施形態に係る外壁構造の要部断面図である。
【図２】同外壁構造の施工方法の一例を示す説明図である。
【図３】前記実施形態の変形例の要部断面図である。
【図４】前記実施形態の他の変形例の模式図である。
【図５】前記外壁構造の施工方法の他の例を示す説明図である。
【図６】従来の外壁構造の施工方法の説明図である。
【符号の説明】
【００４６】
１      外壁構造
２      軒樋
３      屋根
４      外壁パネル
５      取付金具、上端部カバー部材
６      ブラケット
７      軒先水切
８      外壁水切、水切部材
１０      屋根下地
１１      断熱材（屋根面材）
【図１】
2005281990.tif 000003
【図２】
2005281990.tif 000004
【図３】
2005281990.tif 000005
【図４】
2005281990.tif 000006
【図５】
2005281990.tif 000007
【図６】
2005281990.tif 000008